(57)【要約】      （修正有）【課題】汚れの状況に応じて使用されるサイズの異なるケレン刃を力を加え易い状態で備えたケレン工具組立体を提供する。【解決手段】ケレン工具組立体１は、両端にケレン工具素体装着部を備えた棒本体３と、該棒本体のケレン工具素体装着部の夫々に取外し可能に取付けられたケレン工具素体５，５とを有する。各ケレン工具素体５は、先端にケレン刃３１を備えた板状のケレン工具素体本体部３０と、該ケレン工具素体本体部３０の基端が厚さ方向に偏心した状態で先端に固着され基端に棒本体３のケレン工具素体装着部に取外し可能に取付けられる棒装着部を備えたケレン工具素体支持軸部４０とを有する。ケレン工具素体支持軸部４０は、棒本体３よりも大径で、ケレン工具素体支持軸部４０が、両端にその間の中間部５８よりも大径の大径端部５６，５７を備える。【選択図】図１
0003146509.tif 000002
【実用新案登録請求の範囲】
【請求項１】
両端にケレン工具素体装着部を備えた棒本体と、該棒本体のケレン工具素体装着部の夫々に取外し可能に取付けられたケレン工具素体とを有するケレン工具組立体であって、
各ケレン工具素体が、
先端にケレン刃を備えた板状のケレン工具素体本体部と、
ケレン工具素体支持軸部であって、ケレン工具素体本体部の基端部が厚さ方向に偏心した状態で先端部に固着され棒本体のケレン工具素体装着部に取外し可能に取付けられる棒装着部を基端側に備えたものと
を有するケレン工具組立体。
【請求項２】
ケレン工具素体支持軸部が、棒本体よりも大径である請求項１に記載のケレン工具組立体。
【請求項３】
ケレン工具素体支持軸部が、両端にその間の中間部よりも大径の大径端部を備える請求項２に記載のケレン工具組立体。
【請求項４】
ケレン工具素体支持軸部の二つの大径端部のうちケレン工具素体本体部に近い方の大径端部は、偏心によりケレン工具素体本体部がずれて位置する側の部位において径方向突出部が切欠かれている請求項３に記載のケレン工具組立体。
【請求項５】
前記棒本体のケレン工具素体装着部が棒本体の中央部と同心で外周面に係合部を備え、ケレン工具素体の棒装着部が、該棒装着部の外周と同心で周面に相補的係合部が形成された穴部を備え、該穴部の周壁のうちの一側部分にケレン工具素体本体部が固着されている請求項１から４までのいずれか一つの項に記載のケレン工具組立体。
【請求項６】
前記棒本体が、両端に前記係合部を備えた剛性棒状体と、該棒状体の両端部の間の中央部の外周に嵌着され、外周部が柔軟な層からなる管状体とからなる請求項５に記載のケレン工具組立体。
【請求項７】
前記棒本体の剛性棒状体はその全長にわたって雄ネジ部が形成されている請求項６に記載の前記棒本体。
【請求項８】
棒本体のケレン工具素体装着部の係合部が雄ネジ部からなり、ケレン工具素体の棒装着部の相補的係合部が雌ネジ部からなる請求項７に記載のケレン工具組立体。
【請求項９】
ケレン工具素体のうちケレン工具素体本体部と該ケレン工具素体本体部が厚さ方向に偏心状態で取付けられたケレン工具素体支持軸部の先端部とによって形成される隅部に傾斜した肩部が形成されている請求項１から８までのいずれか一つの項に記載のケレン工具組立体。
【請求項１０】
ケレン工具素体支持軸部及び該ケレン工具素体支持軸部とケレン工具素体本体部との接続部分のまわりに形成されたゴム系塗料被覆層を有する請求項１から９までのいずれか一つの項に記載のケレン工具組立体。
【考案の詳細な説明】
【技術分野】
【０００１】
本考案はケレン工具に係る。
【背景技術】
【０００２】
ケレン工具は、表面に強固に付着した汚れを除くためのケレン刃を備えたケレン工具本体と、該ケレン工具本体を操作するための棒本体とを有する。
【０００３】
この広義のケレン工具によって除去されるべき汚れとしては、例えば、溶接の際に生じた滴状の溶融飛散物が被溶接物等の表面に付着し固化してなる溶接飛散物や、塗装の際に飛散した塗料が被塗装物等の表面に滴状に付着し固化してなる飛散塗料等が含まれ、コンクリート表面の付着物や物品表面の接着剤や鋼材表面の鉄さび等も含まれ得る。
【０００４】
従来のケレン工具のうち溶接飛散物その他の強固に表面に付着した異物を表面から掻き取るケレン棒として知られている種類の工具では、棒本体ないし柄の一端にケレン工具本体ないし素体が一体的に形成されており、ケレン工具本体（素体）の先端に超硬合金からなるケレン刃が形成されている。ここで、棒本体（柄）とケレン工具本体のケレン刃以外の部分は典型的には鋼等で一体的に形成されている。ケレン工具本体の基端部の中央に棒本体（柄）が偏心することなく形成されている。
【０００５】
このケレン工具の操作に際しては、棒本体（柄）を手で掴み、腕を振ることによって、ケレン刃によって表面の汚れを掻き取る。汚れの拡がりが大きい場合には、例えば、刃の長さが長く幅の広いケレン工具本体を備えたケレン工具を用い、物品表面のまわりのスペースが狭かったり汚れの付着強度が強い場合には、例えば、刃の長さが短く幅の狭いケレン工具本体を備えたケレン工具を用いて、汚れを取り除く。
【０００６】
通常はケレン棒と呼ばれるこの種の従来のケレン工具は、棒本体（柄）の中間部からなる把持部を強固に掴みにくいのでケレン工具本体に大きな力を加えにくい。また、ケレン刃の長さ（ケレン工具本体の幅）の異なる汚れを取り除くために実際上複数本のケレン棒を手元においた状態で作業を行う必要がある。これは、使い勝手を悪くする。
【０００７】
ケレン棒ではないけれども、広義のケレン作業を行う別の剥離工具において、棒（柄）又は把持部の両端に工具を備えた工具構造体は、知られている（例えば、特許文献１〜２）。
【０００８】
しかしながら、この特許文献１や２の工具構造体は、各端の工具を使う場合に、棒（柄）又は把持部の部分を共用するものの、操作に際しては、その他の点で、両端に工具があることが役に立つわけではない。
【０００９】
また、ケレン工具ではないけれども、別の工具構造体において、両端の工具を棒（柄）に対して取り外し可能に装着することは提案されている（例えば、特許文献３〜５）。
【００１０】
しかしながら、この特許文献３〜５の工具構造体でも、各端の工具素体を使う場合に、棒の部分を共用するものの、操作に際しては、その他の点で、両端に工具素体があることが役に立つわけではない。
【００１１】
なお、複数の剥離工具部を両端ではないけれども複数箇所に備えた工具構造体（特許文献６〜８）も提案されている。
【００１２】
しかしながら、これらの提案も、工具構造体の一部を共用するものの、操作に際しては、工具構造体の両端に工具素体があることが役に立つわけではない。
【００１３】
なお、ケレン棒又はケレン工具の分野では、複数の剥離工具部を持ち易い形状に配置したもの（特許文献９）は知られているけれども、これは、持ち易さを実現するために、分岐した二次元形状を形成して、把持部及び工具部を形成するようにしたものであって、交換可能にすることと使用の際の操作のし易さとを両立させようとするものではない。
【特許文献１】特開平８−１３１９８４号公報
【特許文献２】実公平７−１０８８号公報
【特許文献３】実用新案登録第３，１２３，４１４号公報
【特許文献４】特開２００３−２２５８７２号公報
【特許文献５】特開平１１-２７０１２３号公報
【特許文献６】実開昭６３−１６０７７０号公報
【特許文献７】実公昭５６−１３５８９８号公報
【特許文献８】特開２００５−９５９７０号公報
【特許文献９】特許第２，９６８，４３５号公報
【考案の開示】
【考案が解決しようとする課題】
【００１４】
本考案は、前記諸点に鑑みなされたものであって、その目的とするところは、汚れの状況に応じて使用されるサイズの異なるケレン刃を力を加え易い状態で備えたケレン工具組立体を提供することにある。
【課題を解決するための手段】
【００１５】
本考案のケレン工具組立体は、前記目的を達成すべく、両端にケレン工具素体装着部を備えた棒本体と、該棒本体のケレン工具素体装着部の夫々に取外し可能に取付けられたケレン工具素体とを有するケレン工具組立体であって、各ケレン工具素体が、先端にケレン刃を備えた板状のケレン工具素体本体部と、ケレン工具素体支持軸部であってケレン工具素体本体部の基端部が厚さ方向に偏心した状態で先端部に固着され棒本体のケレン工具素体装着部に取外し可能に取付けられる棒装着部を基端側に備えたものとを有する。
【００１６】
本考案のケレン工具組立体では、「両端にケレン工具素体装着部を備えた棒本体と、該棒本体のケレン工具素体装着部の夫々に取外し可能に取付けられたケレン工具素体とを有し、各ケレン工具素体が、先端にケレン刃を備えた板状のケレン工具素体本体部を有する」ので、両端のケレン工具素体としてサイズの異なるケレン刃を備えたケレン工具素体を用い得るから、汚れの状況に応じてサイズ等の異なるケレン工具素体を使用して汚れを除去し得、汚れの除去が容易且つ確実に行われ易い。また、本考案のケレン工具組立体では、「各ケレン工具素体の板状のケレン工具素体本体部がその基端部においてケレン工具素体支持軸部の先端部に対して、該板状のケレン工具素体本体部の厚さ方向に偏心した状態で固着されている」ので、ケレン作業としての掻き取り乃至剥離作業を行うケレン刃とは反対側のケレン刃を含むケレン工具素体本体部が厚さ方向に偏心状態で固着されたケレン工具素体支持軸部のうち偏心により露出したその端面側に親指をかけて掴むことが可能になり、ケレン作業に際して大きな掻き取り力を加えることが可能になる。
【００１７】
また、本考案のケレン棒組立体では、「各ケレン工具素体の板状のケレン工具素体本体部がケレン工具素体支持軸部に対して、該板状のケレン工具素体本体部の厚さ方向に偏心している」ので、ケレン工具素体をケレン作業が行われるべき表面に対して沿うように傾けることが可能になり、強固に付着した汚れを取り除き易い。
【００１８】
なお、本考案のケレン工具組立体では、ケレン工具素体が取外し可能に棒本体に取付けられるので、作業環境ないし対象に応じて適切なケレン工具素体に適宜交換し得る。また、本考案のケレン工具組立体では、ケレン工具素体が交換可能であるから、ケレン刃が磨耗したり破損したりした場合に、当該ケレン刃を含むケレン工具素体部分だけを取り替えることが可能になり、コスト及び資源の無駄使いを最低限に抑え得る。
【００１９】
本考案のケレン工具組立体では、典型的には、ケレン工具素体支持軸部が、棒本体よりも大径である。
【００２０】
この場合、ケレン工具素体支持軸部の把持がより強固に行われ易い。
【００２１】
本考案のケレン工具組立体では、典型的には、ケレン工具素体支持軸部が、両端にその間の中間部よりも大径の大径端部を備える。
【００２２】
この場合、ケレン工具素体支持軸部の大径端部の間の部分に捲きつくように配置した人差し指が両側の大径端部によって安定に支えられ得るから、把持がより強固に行われ易い。
【００２３】
本考案のケレン工具組立体では、典型的には、ケレン工具素体支持軸部の二つの大径端部のうちケレン工具素体本体部に近い方の大径端部は、偏心によりケレン工具素体本体部がずれて位置する側の部位において径方向突出部が切欠かれている。
【００２４】
この場合、棒本体を含むケレン工具組立体を汚れが除去されるべき表面に対してほとんど平行になるように寝かせることが可能になるから、強固に付着した汚れを取り除き易い。
【００２５】
本考案のケレン工具組立体では、典型的には、前記棒本体のケレン工具素体装着部が棒本体の中央部と同心で外周面に係合部を備え、ケレン工具素体の棒装着部が、該棒装着部の外周と同心で周面に相補的係合部が形成された穴部を備え、該穴部の周壁のうちの一側部分にケレン工具素体本体部が固着されている。
【００２６】
この場合、ケレン工具素体支持軸部を相当程度太くすることが可能になるから、ケレン工具素体支持軸部の強固な把持が容易になるだけでなく、ケレン工具素体本体部をケレン工具素体支持軸部に対して偏心配置すること及びケレン工具素体を棒本体に対して着脱可能にすることが、容易になる。
【００２７】
本考案のケレン工具組立体では、典型的には、前記棒本体が、両端に前記係合部を備えた剛性棒状体と、該棒状体の両端部の間の中央部の外周に嵌着され、外周部が柔軟な層からなる管状体とからなる。
【００２８】
この場合、ケレン刃に大きな力を加えるように、棒本体を強固に掴み易い。
【００２９】
本考案のケレン工具組立体では、典型的には、前記棒本体の剛性棒状体はその全長にわたって雄ネジ部が形成されている。
【００３０】
この場合、棒本体の剛性棒状体が該棒本体の管状体に対して強固に固着され易い。また、雄ネジ部のねじ切りも容易になる。
【００３１】
本考案のケレン工具組立体では、典型的には、棒本体のケレン工具素体装着部の係合部が雄ネジ部からなり、ケレン工具素体の棒装着部の相補的係合部が雌ネジ部からなる。
【００３２】
この場合、着脱が容易に行われ易い。但し、所望ならば、螺合の代わりに、他の相互係合手段であってもよい。
【００３３】
本考案のケレン工具組立体では、典型的には、ケレン工具素体のうちケレン工具素体本体部と該ケレン工具素体本体部が厚さ方向に偏心状態で取付けられたケレン工具素体支持軸部の先端部とによって形成される隅部に傾斜した肩部が形成されている。
【００３４】
この場合、ケレン作業を行わない側のケレン工具素体の肩部に親指をかけることができるので、ケレン作業に際して大きな力を入れ易い。また、前記の把持部分の特徴と相俟って、長期間疲れなくケレン作業を継続し易い。
【００３５】
なお、本考案のケレン工具組立体では、典型的には、ケレン工具素体支持軸部及び該ケレン工具素体支持軸部とケレン工具素体本体部との接続部分のまわりに形成されたゴム系塗料被覆層を有する。この場合、ケレン工具組立体を安定に把持し易くなるので、ケレン作業に際して大きな力を入れ易く、且つ長期間疲れなくケレン作業を継続し易い。なお、肩部がある場合には、当然、肩部の表面にもゴム系塗料の被覆が行われる。但し、場合によっては、他の塗料等で被覆されても、被覆がなくてもよい。
【考案を実施するための最良の形態】
【００３６】
本考案の好ましい一実施の形態を添付図面に示した好ましい一実施例に基づいて説明する。
【実施例】
【００３７】
本考案の好ましい一実施例のケレン工具組立体１は、図１の（ａ）及び（ｂ）に示したように、棒本体ないし柄３と、一対のケレン工具素体５Ａ，５Ｂ（両者を区別しないとき又は総称するときは符号５で表す）とを有する。なお、このケレン工具組立体１は、使用者による力の加え易さや持ち易さ等のように人による使い勝手のよさが一つの長所になっていることから、以下では、その長所を支える一側面である寸法等を一具体例として記載する。但し、この寸法等（数値）は、好ましい一例であって、本考案の特徴をこの寸法によって限定しようとするものではなく、夫々が所定の役割を果たし得る限り、夫々の寸法はより大きくてもより小さくて大小関係や割合等が異なっていてもよい。
【００３８】
ここで、ケレン工具素体は、広義には、溶接の際に生じた滴状の溶融飛散物が被溶接物等の表面に付着し固化してなる溶接飛散物だけでなく、塗装の際に飛散した塗料が被塗装物等の表面に滴状に付着し固化してなる飛散塗料等や、コンクリート表面の付着物や物品表面の接着剤や鋼材表面の鉄さびその他のものを掻き取るものを含む。但し、ケレン工具素体は、ここでは、好ましくは、先端のケレン刃として超硬合金製の刃先を備えるものを指す。
【００３９】
棒本体３は、図２の（ａ），（ｂ），（ｃ）及び（ｄ）からわかるように、剛性棒状体１０と、管状体２０とを有する。
【００４０】
剛性棒状体１０は、図２の（ｃ）からわかるように、全長にわたって外周に雄ネジ１１を備える。但し、管状体２０から突出する両端部分１２，１３に雄ネジ部が形成され、且つ剛性棒状体１０が管状体２０に十分に強固に固着され得る限り、管状体２０の内部に隠れる中央部分１４には雄ネジ部が形成されていなくてもよい。剛性棒状体１０は、例えば、長さが１４ｃｍ程度、径が１．３ｃｍ（１／２インチ）程度であり、管状体２０は、長さが１０ｃｍ程度で、外径が２．３ｃｍ程度である。従って、両端の突出ネジ部１２，１３は、長さが夫々２ｃｍ程度である。
【００４１】
管状体２０は、剛性棒状体１０の両端ネジ部１２，１３以外の中間部分１４を覆うように該剛性棒状体１０に嵌合され且つ固着されている。
【００４２】
管状体２０は、比較的剛性の高い樹脂管からなる内側管状層すなわち内側管状部ないし内側鞘状部２２と、該内側管状部２２よりも柔軟性が高く人が手で掴んだ際に多少柔らかくないし柔軟性を感じる程度の軟質樹脂管からなる外側管状層すなわち外側管状部ないし外側鞘状部２４とを有する。内側管状部２２の外径は、１．８ｃｍ程度である。外側管状部２４は、外径が２．３ｃｍ程度、厚さが０．５ｍｍ程度である。
【００４３】
内側管状部２２は、例えば、通常は配水管又は配線挿通管の如き配管として用いられるに適した塩化ビニール製の管からなる。但し、外側管状部２４よりも十分に剛性が高く、且つ水や油等に対して耐性があって通常使用される環境下で耐え得る限り、他の材料でできていてもよい。
【００４４】
一方、外側管状部２４は、例えば、通常は耐圧ゴムホースとして用いられるに適した合成ゴム等の材料または複合材料からなる。但し、内側管状部２２よりも十分に軟らかくて手で触った際に柔軟性が感じられ、水や油等に対して耐性があって通常使用される環境下で耐え得る限り、他の材料でできていてもよい。
【００４５】
外側管状部２４は、内側管状部２２に対して一体的に固定されている。この一体的固定は、単に、外側管状部２４を多少拡げる（拡径する）ように内側管状部２２を外側管状部２４内に強制的に嵌込むことによって実現されても、接着剤その他の固着手段で相互に固着されることにより実現されてもよい。
【００４６】
管状体２０の内側管状部２２と剛性棒状体１０のうち該内側管状部２２内に嵌合されている部分すなわち中間ないし中央部分１４とは、接着剤により相互に固着されている。なお、所望ならば、例えば、内側管状部２２に雌ネジを形成しておき、雄ネジの形態の剛性棒状体１０を内側管状部２２に螺合させることによって両者を実際上相互に固定してもよい。その場合でも、接着剤又は他の補助的な機械的係止手段によって両者を相互に固定してもよい。
【００４７】
管状体２０の外周面２５は、典型的には、円筒状である。但し、所望ならば、多角筒状であっても、長手方向の部位により異なる形状になっていてもよい。
【００４８】
ケレン工具素体５は、図３の（ａ）及び（ｂ）、図４の（ａ）及び（ｂ）、並びに図５の（ａ）及び（ｂ）に示したように、ケレン工具素体本体部３０と、ケレン工具素体支持軸部４０と、連結肩部７０とを有する。
【００４９】
ケレン工具素体本体部３０は、例えば、従来からあるケレン棒の先端部分と同様な形状及び構造であって、全体として厚板状で、超硬合金製のケレン刃３１と、ケレン刃支持部３２とを有する。ケレン刃支持部３２は全体として一様な厚さを有し、ケレン刃３１よりも少し薄い。但し、逆に少し厚くても、実際上同じ厚さでもよい。
【００５０】
ケレン工具素体５は、ケレン工具素体本体部３０の幅、即ち、ケレン刃３１の長さに応じて、種々のものがあり得る。図１の（ａ）や（ｂ）に示した例では、ケレン工具素体５Ａは幅が広くてケレン刃３１Ａの長さが長く、ケレン工具素体５Ｂは幅が狭くてケレン刃３１Ｂの長さが短い。なお、所望ならば、ケレン工具素体本体部３０の長さも異なっていてもよい。
【００５１】
例えば図３の（ａ）からわかるように、全体として板状のケレン刃３１は平行な主面３１ａ，３１ｂを有し、全体として板状のケレン刃支持部３２も平行な主面３２ａ，３２ｂを有する。主面３１ａ，３２ａは実際上面一で、主面３１ｂ，３２ｂは厚さの差に起因するわずかな段差があるけれども、ほぼ面一である。なお、ケレン刃３１とケレン刃支持部３２とが同じ厚さでも、ケレン刃支持部３２がケレン刃３１より少し厚くてもよい。
【００５２】
例えば図３の（ｂ）からわかるように、ケレン刃３１は、一様な厚さの長方形板状の基部３３と、該基部３３の先端３４側に形成され先端程薄くなった刃先部３５とを有する。
【００５３】
ケレン刃支持部３２は、ケレン刃３１の基部３３と同じ幅で広幅の長方形板状の基部本体部３６と、ケレン工具素体支持軸部４０に結合される板状の基部連結部３７とを有する。なお、基部連結部３７は、より詳しくは、図３の（ｂ）からわかるように、先端側の湾曲部３７ａにおいて滑らかに湾曲して細くなり、基端側の湾曲部３７ｂにおいて逆向きに湾曲している。基部連結部３７の端は、例えば、細くて幅が実際上一定の基端３８になる。なお、基端３８は、ケレン工具素体支持軸部４０との接合部に近づくほど幅広であってもよい。
【００５４】
ケレン工具素体支持軸部４０は、図５の（ａ）や（ｂ）からわかるように、軸部本体部４１と、ゴムの如き柔軟な材料からなる軸部被覆本体部４２とを有する。
【００５５】
軸部本体部４１は、この例では、六角ナットの形態であって、外周面４３が六角筒状で、中心部に円形の貫通孔４４を備え、該孔４４には雌ネジ４５が形成されている。この雌ネジ４５は、棒本体３の剛性棒状体１０の雄ネジ１１と丁度螺合するような形状及びサイズである。軸部本体部４１は、例えば、長さが３ｃｍ程度で、最大径が２．３ｃｍ程度の正六角形の横断面を有し、内径が１．３ｃｍ（１／２インチ）程度のネジ孔になっている。
【００５６】
この軸部本体部４１の一方の端面４６のうち六角形の一辺４７に沿う細長い長方形領域４８には、ケレン工具素体本体部３０のうちケレン刃支持部３２の基部本体部３６の基端３８がその細長い長方形端面３８ａで実際上当接し、溶接により固着されている。従って、ケレン工具素体本体部３０は、ケレン工具素体支持軸部４０ないし軸部本体部４１の中心軸線Ｃに対して、該ケレン工具素体本体部３０の厚さ方向に偏心している。
【００５７】
この例では、軸部本体部４１の外周面４３は、六角筒状になっているけれども、後述のように指を回して掴み得る限り、六角筒状の代わりに、円筒状その他の形状でもよい。
【００５８】
ケレン工具素体支持軸部４０の軸部被覆本体部４２は、筒の形態の筒状被覆部５１と、環状フランジ部の形態の環状被覆部５２とを有する。環状被覆部５２は、筒状被覆部５１の基端５３において、該筒状被覆部５１に一体的に繋がっている。筒状被覆部５１は、その外周５４のうち先端５５に先端側大径突出部５６を備え、且つ外周５４のうち前記基端５３に基端側大径突出部５７を備える。従って、大径部５６，５７の間の領域は、相対的に小径部５８になっている。軸部被覆本体部４２の大径部５６，５７は、夫々、幅（軸方向長さ）が０．５〜０．７ｃｍ程度及び０．３〜０．５ｃｍ程度であって、小径部５８の幅（軸方向長さ）は２ｃｍ程度である。また、中間部である小径部５８の外径は２．５ｃｍ程度であって、大径部５６，５７の外径は小径部５８の外径よりも５ｍｍ程度大きい。なお、好ましくは、ケレン工具素体支持軸部４０の中間小径部５８の外径は、棒本体３の外径よりも大きい。但し、所望ならば、同程度であってもよく、場合によっては、より小さくてもよい。
【００５９】
ケレン工具素体支持軸部４０の軸部被覆本体部４２は、筒状被覆部５１で軸部本体部４１の六角筒状外周面４３に嵌着され、環状被覆部５２で軸部本体部４１の基部側端面４９に密着している。
【００６０】
ケレン工具素体支持軸部４０の軸部被覆本体部４２のうち先端側大径突出部５６は、ケレン工具素体本体部３０が偏心した一方の主面と同じ側において、外表面が、該主面と実際上平行になるように部位５６ａで切欠かれている。即ち、図３の（ａ）や図５の（ａ）において、想像線５６ｉで示した領域が切欠かれている。
【００６１】
ケレン工具素体支持軸部４０の軸部被覆本体部４２の環状被覆部５２は、ケレン工具素体支持軸部４０の軸部本体部４１の孔４４と同程度の孔５９を有する。図示の例では、孔５９は孔４４と実際上同じ大きさであるけれども、孔５９の径は、孔４４の径よりも大きくてもよい。場合によっては、環状被覆部５２はなくてもよい（換言すれば、孔５９の径が筒状被覆部５１の内径と一致していてもよい）。
【００６２】
ケレン工具支持軸部４０の軸部本体部４１の端面４６とケレン工具素体本体部３０のケレン刃支持部３２の主面３２ａとにより形成される隅部領域７１には、肩部７０が形成されている。
【００６３】
この肩部７０は、この例では、軸部本体部４１の端面４６とケレン刃支持部３２の主面３２ａとにより形成される隅部７１を埋め且つ軸部本体部４１の孔４４を塞ぐように、アーク溶接による肉盛り７２を繰返し形成することによって作られている。その結果、この肩部７０は、一方では、ケレン工具支持軸部４０の軸部本体部４１とケレン工具素体本体部３０との溶接による強固な接合ないし相互固着を可能にし、他方では、孔４４の端面４６側（先端側）端部を閉じて、後述のように、親指をかけることを可能にする。なお、実際には、例えば、図５の（ｂ）において、破線７２ｉで示したように多段に形成した肉盛りの表面の凸凹部は、例えばＧ仕上げ（グラインダによる仕上げ）その他の手段によって除去されて、指をかけるに適した形状に加工される。
【００６４】
なお、溶接肉盛り部７２は、図５の（ｂ）において想像線７７で示したように、多少は、孔４４内に入り込む。但し、孔４４の長さは、該孔４４の雌ネジ部４５に螺合すべき雄ネジ部１１を備えた棒本体３のケレン工具素体装着用端部１２，１３の長さと比較して十分に長い（この例では、孔４４の長さが３ｃｍ程度で、ケレン工具素体装着用端部１２，１３の長さが１．２〜１．４ｃｍ程度）から、溶接肉盛り部７２の背面側部分７７が相当程度孔４４内に入り込んでも、棒本体３のケレン工具素体装着用端部１２，１３の全長が、ケレン工具素体５，５のケレン工具素体支持軸部４０の孔４４内に螺着され得る。
【００６５】
なお、ケレン工具支持軸部４０の軸部本体部４１とケレン工具素体本体部３０のケレン刃支持部３２とが、ケレン作業の際にケレン工具支持軸部４０とケレン工具素体本体部３０との連結部が受ける応力や衝撃に耐えるに十分に強固にその相互当接面４８，３８ａ及び該当接面４８，３８ａの周縁領域において溶接等によって相互に接合ないし固着されている場合には、肉盛り及びＧ仕上げ等で肩部７０を形成する代わりに該肩部７０の形状に予め形成した部材を該肩部７０のある位置に配置し固定することによって肩部７０を形成してもよい。その場合、肩部７０は、その固着が可能である限り、鋼その他の金属でも樹脂やセラミックその他の非金属でもよい。
【００６６】
肩部７０は、典型的には、軸部本体部４１の端面４６から離れる程ケレン刃支持部３２の主面３２ａに近付くように傾斜し且つ幅方向中央から幅方向両側に離れる程ケレン刃支持部３２の主面３２ａに近付くように傾斜した形状を有する。従って、肩部７０は、大まかには、幅方向中央部に傾斜面７３を有する。傾斜面７３の幅が比較的小さい場合、該傾斜面７３の両側に幅方向に落ちる斜面７４，７５を有し得る。
【００６７】
なお、ケレン工具素体５は、肩部７０の外表面の全体、ケレン工具支持軸部４０の外表面の全体（但し肩部７０が重なっている部分を除く）、及びケレン工具素体本体部３０のケレン刃支持部３２のうちケレン刃３１に近接する領域以外の部分の外表面の全体（但し肩部７０が重なっている部分を除く）にわたって、ゴム系の塗層ないし被覆層６０で覆われている。このゴム系の被服層６０としては、例えば、工具の握り部分をコーティングし弾力性のあるゴム皮膜となって空気・水を遮断し、緩衝材として働く液状ゴムディッピング塗料として知られているようなものが用いられる。但し、該塗層ないし被覆層６０の下にある部材の明示を優先するために、図５の（ａ）及び（ｂ）の断面図では該ゴム系の塗層ないし被覆層６０を想像線で示し、図３の（ａ），（ｂ））では、ケレン刃支持部３２のうちケレン刃３１に近接する領域の境界のみを符号６０で示した。一方、図５の（ａ）及び（ｂ）並びに図３の（ａ），（ｂ）以外の図では、他の要素相互の関係の明示を優先させ、各種要素を覆ってしまう塗層６０を省いた状態で示した。
【００６８】
以上の如く構成されたケレン工具組立体１を用いたケレン作業に関し、溶接の際に飛散した溶融金属滴が鋼板の表面で固化し該表面に固着している場合に当該固化固着金属を取り除くことを例にとって、次に、より詳しく説明する。
【００６９】
まず、行うべきケレン作業に応じて、棒本体３の両端に突出した突出雄ネジ部１２，１３に所望幅のケレン刃３１Ａ，３１Ｂを備えたケレン工具素体５Ａ，５Ｂを螺着する。これにより、両端のケレン工具素体５Ａ，５Ｂは、図１の（ａ）や（ｂ）に示したように、両者の主面３２ａ，３２ａ等がほぼ平行になる向きで、固定される。なお、この向きの平行度を所定レベル以上に確保するために、夫々のケレン工具素体５Ａ，５Ｂが棒本体３に対して所定の角度位置でピン等で固定されるようになっていてもよい。
【００７０】
次に、ケレン工具組立体１を手で掴む。以下においては、当面のケレン作業に用いられる方の工具素体を符号５Ａで示し、当面のケレン作業に用いられない方の工具素体を符号５Ｂで示す。
【００７１】
右手９０で掴む場合、図６に全体を示し図７において把持部を手のひら側から見た拡大図として示したような状態を採る。即ち、ケレン工具素体５Ａ，５Ｂのうち当面のケレン作業に用いられない方の工具素体５Ｂのうちケレン工具素体支持軸部４０Ｂ及びケレン工具素体本体部３０Ｂの基端側部分（ケレン刃支持部）３２Ｂと棒本体３のうち該工具素体５Ｂの近傍部分とが、右手９０の掌９１を横断するように該掌９１に沿わせて、右手９０で掴む。
【００７２】
このとき、人差し指９２は、ケレン工具素体支持軸部４０Ｂのうち両端の大径部５６Ｂ，５７Ｂに挟まれた相対的小径部分５８Ｂに沿って配置され、中指９３は、その人差し指９２側の側縁がケレン工具素体支持軸部４０Ｂの大径部５７Ｂの基端側側縁（環状被覆部５２の外表面のある側）に沿って棒本体３の管状体２０の外周に沿って配置される。なお、薬指９４及び小指９５は、夫々隣接位置において、棒本体３の管状体２０を取囲むように配置される。一方、親指９６は、その第一関節と第二関節との間の部分９７が掌側の表面部９７ａにおいてケレン工具素体支持軸部４０Ｂの端面４８Ｂ及び該端面４８Ｂ上の肩部７０Ｂの一部に当接し、該部分９７の人差し指９２側の側縁９７ｂが肩部７０Ｂの傾斜部７３Ｂ，７４Ｂ，７５Ｂに沿うように、配置される。なお、親指９６のうち第一関節より先端側の部分９８は、主として肩部７０Ｂの奥側の傾斜部７４Ｂに沿って延び該部分９８の大半の部分は大径部５６Ｂから突出して該大径部５６Ｂにおいてケレン工具素体支持軸部４０Ｂを抱え込む。
【００７３】
このようなつかみ方では、単に一定の径の部分を掴む場合と比較して、遙に大きな力で、ケレン工具組立体１をつかみ得るだけでなく、該ケレン工具組立体１の先端側のケレン工具素体５Ａに対して、表面Ｑに沿う方向及び棒本体３の延在方向の大きな力Ｆ１，Ｆ２方向を及ぼして、鋼板の如きケレン作業対象物Ｐの表面Ｑにある溶融飛散固化（凝固）物Ｒを、ケレン工具素体５Ａのケレン工具素体本体部３０Ａのケレン刃３１Ａの刃先３５Ａによって該表面Ｑから効果的に剥離ないし掻き取り得る。なお、大径部５６の切欠部５６ａも把持をより強く且つ長期間安定に行うことを可能にしている。
【００７４】
このとき、棒本体３の管状体２０の比較的柔軟な材料からなる外側管状部２４及び工具素体５Ｂのゴム系塗層（被覆層）６０が手９０による確りした掴み感及び掴み力の付与を確保し、大きなケレン作業力Ｆ１，Ｆ２を加えることを可能にしている。
【００７５】
以上のとおり、このケレン工具組立体１では、両端にケレン工具素体５Ａ，５Ｂが取外し可能に取り付けられているので、所望のサイズや形状のケレン工具素体５Ａ，５Ｂを二つ取り付けた状態で工具組立体１が準備されるから、例えば、二本のケレン棒を持ち歩くことなくして、二種類のケレン工具素体を用いたケレン作業を行い得る。
【００７６】
また、ケレン工具素体５の支持軸部４０が比較的大径に形成され且つケレン工具素体本体部３０が該支持軸部４０に対して該本体部３０の厚さ方向に偏心した状態で固定されているので、ケレン工具素体支持軸部４０の端面４８とケレン工具素体本体部３０の主面３２ａとが臨む隅部７１が形成され、該隅部７１に沿って親指９６を配置し得るから、ケレン作業に際して大きな掻き取り力Ｆ１，Ｆ２を及ぼし得る。なお、肩部７０があることにより、親指９６による把持及び力の入力がより確実に行われ得るので、ケレン作業に際して大きな掻き取り力Ｆ１，Ｆ２を及ぼし得る。また、ケレン工具素体５の支持軸部４０が比較的大径に形成されているので、人差し指９２を該支持軸部４０に回すことにより、工具組立体１を強固につかみ得るから、ケレン作業に際して大きな掻き取り力Ｆ１，Ｆ２を及ぼし得る。更に、該支持軸部４０の両端に大径部５６，５７を形成しておくことにより、該大径部５６，５７間の相対的小径部５８に人差し指９２を安定に配置し得るから、ケレン作業に際して大きな掻き取り力Ｆ１，Ｆ２を及ぼし得る。なお、大径部５６の切欠部５６ａが把持をより強く且つ長期間安定に行うことを可能にしている。
【００７７】
ここで、ケレン工具素体５の支持軸部４０は、比較的大径であることにより、（１）棒本体３の端部ネジ部１２，１３との螺合（取外し可能な係合）を可能にしているだけでなく、（２）ケレン工具素体本体部３０の偏心固着を可能にして、掻き取りを容易にし、且つ（３）親指９６を隅部７１に引掛けることによる大きな掻き取り力の付与を可能にし、更に、（４）人差し指９２による強固な掴みを可能にしている。即ち、このケレン工具組立体１では、単に二つのケレン工具素体５，５が両端に着脱可能に取り付けられているだけではなく、棒本体３の基端に取り付けられたケレン工具素体５Ｂが先端側ケレン工具素体５Ａによるケレン作業を強い力で行うことを可能にしている。
【００７８】
なお、ケレン刃３１を表面にほぼ沿うように寝かせる必要があるような場合には、図８に示したように、親指９６の先端部分９８の掌側９８ａが棒本体３の管状体２０の表面に長手方向に沿うように、棒本体３の管状体２０を手９０で掴んで、ケレン作業を行ってもよい。その場合でも、例えば、小指９５を基端側のケレン工具素体５Ｂの支持軸部４０Ｂの小径部５８Ｂに巻きつけるように基端部を掴んだり、親指９６の先端部分９８を先端側のケレン工具素体５Ａの支持軸部４０Ａの小径部５８Ａに沿わせるように先端部を掴んでケレン作業を行ってもよい。
【００７９】
以上の通り、ケレン工具組立体１では、「両端にケレン工具素体装着部１２，１３を備えた棒本体３と、該棒本体３のケレン工具素体装着部１２，１３の夫々に取外し可能に取付けられたケレン工具素体５，５とを有し、各ケレン工具素体５，５が、先端にケレン刃３１を備えた板状のケレン工具素体本体部３０を有する」ので、両端のケレン工具素体５，５としてサイズの異なるケレン刃３１，３１を備えたケレン工具素体５，５を用い得るから、汚れの状況に応じてサイズ等の異なるケレン工具素体５，５を使用して汚れを除去し得、汚れの除去が容易且つ確実に行われ易い。また、ケレン工具組立体１では、「各ケレン工具素体５，５の板状のケレン工具素体本体部３０，３０がその基端部３８，３８においてケレン工具素体支持軸部４０，４０の先端部４６，４６の部位４８，４８に対して、該板状のケレン工具素体本体部３０，３０の厚さ方向に偏心した状態で固着されている」ので、ケレン作業としての掻き取り乃至剥離作業を行うケレン刃３１Ａとは反対側のケレン刃３１Ｂを含むケレン工具素体本体部３０Ｂが厚さ方向に偏心状態で固着されたケレン工具素体支持軸部４０Ｂのうち偏心により露出したその端面４６側（隅部７１を形成する端面部分の側）に親指をかけて掴むことが可能になり、ケレン作業に際して大きな掻き取り力を加えることが可能になる。
【００８０】
また、ケレン棒組立体１では、「各ケレン工具素体５，５の板状のケレン工具素体本体部３０，３０がケレン工具素体支持軸部４０，４０に対して、該板状のケレン工具素体本体部３０，３０の厚さ方向に偏心している」ので、ケレン工具素体５，５をケレン作業が行われるべき表面に対して沿うように（表面に対してなす角度がより小さくなるように）大きく傾けることが可能になり、強固に付着した汚れを取り除き易い。
【００８１】
なお、ケレン工具組立体１では、ケレン工具素体５，５が取外し可能に棒本体３に取付けられるので、作業環境ないし対象に応じて適切なケレン工具素体５，５に適宜交換し得る。また、ケレン工具組立体１では、ケレン工具素体５，５が交換可能であるから、ケレン刃３１が磨耗したり破損したりした場合に、当該ケレン刃３１を含むケレン工具素体部分５だけを取り替えることが可能になり、コスト及び資源の無駄使いを最低限に抑え得る。
【００８２】
また、このケレン工具組立体１では、ケレン工具素体支持軸部４０が、棒本体３の管状体２０よりも大径であるから、ケレン工具素体支持軸部４０の把持がより強固に行われ易い。
【００８３】
また、ケレン工具組立体１では、ケレン工具素体支持軸部４０が、両端にその間の中間部５８よりも大径の大径端部５６，５７を備えるので、ケレン工具素体支持軸部４０の大径端部５６，５７の間の部分５８に捲きつくように配置した人差し指９２が両側の大径端部５６，５７によって安定に支えられ得るから、把持がより強固に行われ易い。
【００８４】
また、ケレン工具組立体１では、ケレン工具素体支持軸部４０の二つの大径端部５６，５７のうちケレン工具素体本体部３０に近い方の大径端部５６は、偏心によりケレン工具素体本体部３０がずれて位置する側の部位５６ａにおいて径方向突出部５６ｉが切欠かれているので、棒本体３を含むケレン工具組立体１を汚れが除去されるべき表面に対してほとんど平行になるように寝かせることが可能になるから、強固に付着した汚れを取り除き易い。
【００８５】
また、ケレン工具組立体１では、棒本体３のケレン工具素体装着部１２，１３が棒本体３の中央部と同心で外周面に係合部としての雄ネジ部１１を備え、ケレン工具素体５の棒装着部（４４，４５）が、該棒装着部の外周と同心で周面に相補的係合部としての雌ネジ部４５が形成された穴部４４を備え、該穴部４４の周壁のうちの一側部分４８にケレン工具素体本体部３０が固着されているので、ケレン工具素体支持軸部４０を相当程度太くすることが可能になるから、ケレン工具素体支持軸部４０の強固な把持が容易になるだけでなく、ケレン工具素体本体部３０をケレン工具素体支持軸部４０に対して偏心配置すること及びケレン工具素体５を棒本体３に対して着脱可能にすることが、容易になる。
【００８６】
また、ケレン工具組立体１では、棒本体３が、両端のケレン工具素体装着部１２，１３に前記係合部としての雄ネジ部１１を備えた剛性棒状体１０と、該棒状体１０の両端部１２，１３の間の中央部１４の外周に嵌着され、外周部２４が柔軟な層からなる管状体２０とからなるので、ケレン刃３１に大きな力を加えるように、棒本体３を強固に掴み易い。
【００８７】
また、ケレン工具組立体１では、棒本体３の剛性棒状体１０は、その全長にわたって雄ネジ部１１が形成されているので、棒本体３の剛性棒状体１０が該棒本体３の管状体２０に対して強固に固着され易い。また、雄ネジ部１１のねじ切りも容易になる。
し得る。
【００８８】
また、ケレン工具組立体１では、棒本体３のケレン工具素体装着部１２，１３の係合部が雄ネジ部１１からなり、ケレン工具素体５，５の棒装着部（４４，４５）の相補的係合部が雌ネジ部４５からなるので、着脱が容易に行われ易い。但し、所望ならば、螺合の代わりに、他の相互係合手段であってもよい。
【００８９】
また、ケレン工具組立体１では、ケレン工具素体５のうちケレン工具素体本体部３０と該ケレン工具素体本体部３０が厚さ方向に偏心状態で取付けられたケレン工具素体支持軸部４０の先端部とによって形成される隅部７１に傾斜した肩部７０が形成されている。
【００９０】
この場合、ケレン作業を行わない側のケレン工具素体５Ｂの肩部７０Ｂに親指９６をかけることができるので、ケレン作業に際して大きな力を入れ易い。また、前記の把持部分の特徴と相俟って、長期間疲れなくケレン作業を継続し易い。
【００９１】
また、ケレン工具組立体１では、ケレン工具素体支持軸部及び該ケレン工具素体支持軸部とケレン工具素体本体部との接続部分のまわりに形成されたゴム系塗料被覆層があるので、ケレン工具組立体１を安定に把持し易くなるので、ケレン作業に際して大きな力を入れ易く、且つ長期間疲れなくケレン作業を継続し易い。
【図面の簡単な説明】
【００９２】
【図１】本考案の好ましい一実施例のケレン工具組立体を示したもので、（ａ）は平面説明図、（ｂ）は正面説明図。
【図２】図１のケレン工具組立体の棒本体を示したもので、（ａ）は正面説明図、（ｂ）は（ａ）において矢印ＩＩＢ方向に見た側面説明図、（ｃ）は（ａ）のＩＩＣ−ＩＩＣ線断面説明図、（ｄ）は（ｃ）のＩＩＤ−ＩＩＤ線断面説明図。
【図３】図１のケレン工具組立体のうちの一つのケレン工具素体を示したもので、（ａ）は正面説明図、（ｂ）は平面説明図。
【図４】図１のケレン工具組立体のうちの一つのケレン工具素体を示したもので、（ａ）は図３の（ａ）において矢印ＩＶＡ方向に見た側面説明図、（ｂ）は図３の（ａ）において矢印ＩＶＢ方向に見た側面説明図。
【図５】図１のケレン工具組立体のうちの一つのケレン工具素体を示したもので、（ａ）は図３の（ａ）のＶＡ−ＶＡ線断面説明図、（ｂ）は図３の（ｂ）のＶＢ−ＶＢ線断面説明図。
【図６】図１の（ａ）及び（ｂ）に示したケレン工具組立体を用いてケレン作業を行っている様子を示した斜視説明図。
【図７】図６のケレン作業の際におけるケレン工具組立体を掴んだ状態をより詳しく示した斜視説明図。
【図８】図１の（ａ）及び（ｂ）に示したケレン工具組立体を用いて図６や図７とは別の掴み方で当該ケレン工具組立体を掴んでケレン作業を行っている様子を示した斜視説明図。
【符号の説明】
【００９３】
１  ケレン工具組立体
３  棒本体
５，５Ａ，５Ｂ  ケレン工具素体
１０  剛性棒状体
１１  雄ネジ
１２，１３  端部分（端部ネジ部，ケレン工具素体装着部）
１４  中間部分（中央部分）
２０  管状体
２２  内側管状部（内側鞘状部）
２４  外側管状部（外側鞘状部）
２５  外周面
３０，３０Ａ，３０Ｂ  ケレン工具素体本体部
３１，３１Ａ，３１Ｂ  ケレン刃
３１ａ，３１ｂ  主面
３２，３２Ａ，３２Ｂ  ケレン刃支持部
３２ａ，３２ｂ  主面
３３  基部
３４  先端
３５  刃先部
３６  基部本体部
３７  基部連結部
３７ａ  先端側湾曲部
３７ｂ  基端側湾曲部
３８  基端
３８ａ  長方形端面
４０，４０Ａ，４０Ｂ  ケレン工具素体支持軸部
４１  軸部本体部
４２  軸部被覆本体部
４３  該主面
４４  貫通孔
４５  雌ネジ
４６  端面
４７  （六角形の）一辺
５１  筒状被覆部
５２  環状被覆部
５３  基端
５４  外周
５５  先端
５６，５６Ａ，５６Ｂ  先端側大径突出部
５６ｉ  切欠領域
５７，５７Ａ，５７Ｂ  基端側大径突出部
５８，５８Ａ，５８Ｂ  小径部
６０  塗層（被覆層）
７０  連結肩部
７１  隅部領域
７２  肉盛り
７３  傾斜面
７４  斜面
７５  斜面
９０  右手
９１  掌
９２  人差し指
９３  中指
９４  薬指
９５  小指
９６  親指
９７  第一及び第二関節の間の部分
９８  先端部分
Ｃ  中心軸線
Ｐ  鋼板
Ｑ  表面
Ｒ  溶接滴（固化物）
【図１】
0003146509.tif 000003
【図２】
0003146509.tif 000004
【図３】
0003146509.tif 000005
【図４】
0003146509.tif 000006
【図５】
0003146509.tif 000007
【図６】
0003146509.tif 000008
【図７】
0003146509.tif 000009
【図８】
0003146509.tif 000010